【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
微小粒子の測定データを保存するデータ格納部と、
前記測定データから独立した３種の変数を選択する入力部と、
前記３種の変数を座標軸とする座標空間内における位置と図形を計算し、前記微小粒子の特性分布を表す３Ｄ立体画像を作成するデータ処理部と、
前記３Ｄ立体画像を表示する表示部と、を有し、
前記入力部からの入力信号に基づいて前記座標空間を複数の領域に区分けする平面を位置変更可能に設定し、前記３Ｄ立体画像中に表示する３Ｄデータ解析装置。
【請求項２】
前記データ処理部は、前記領域における変数値及び／又は分布頻度を計算し、
前記表示部は、変数値及び／又は分布頻度に関する情報を表示する請求項１記載の３Ｄデータ解析装置。
【請求項３】
前記３Ｄ立体画像において、前記平面は、半透明で表示され、該画像の立体像観察時において該平面よりも奥に前記図形を観察可能とする請求項１又は２記載の３Ｄデータ解析装置。
【請求項４】
前記３Ｄ立体画像において、前記平面は、前記入力部からの信号入力時にのみ前記３Ｄ立体画像中に表示され、又は、前記入力部からの入力信号に基づいて前記３Ｄ立体画像中への表示の有無を切り換え可能とされる請求項１〜３のいずれか一項に記載の３Ｄデータ解析装置。
【請求項５】
前記入力部からの入力信号に基づいて前記表示部において前記３Ｄ立体画像を回転させ、任意に選択された座標軸方向からの該画像の立体像観察を可能とする請求項１〜４のいずれか一項に記載の３Ｄデータ解析装置。
【請求項６】
前記平面は、前記座標軸に垂直な面であり、平面と座標軸との交点に配置された標識図形が前記入力部からの入力信号に基づいて移動されるに伴って位置変更される請求項１〜５のいずれか一項に記載の３Ｄデータ解析装置。
【請求項７】
前記平面は、前記座標軸の各軸にそれぞれ垂直な３つの面であり、３つの平面の交点に配置された標識図形が前記入力部からの入力信号に基づいて移動されるに伴って一体に位置変更される請求項１〜５のいずれか一項に記載の３Ｄデータ解析装置。
【請求項８】
微小粒子の測定データを保存するデータ格納部と、前記測定データから独立した３種の変数を選択する入力部と、前記３種の変数を座標軸とする座標空間内における位置と図形を計算し、前記微小粒子の特性分布を表す３Ｄ立体画像を作成するデータ処理部と、前記３Ｄ立体画像を表示する表示部と、を有し、前記入力部からの入力信号に基づいて前記座標空間を複数の領域に区分けする平面を位置変更可能に設定し、前記３Ｄ立体画像中に表示する３Ｄデータ解析装置と、
微小粒子測定装置と、を連設してなる微小粒子解析システム。
【請求項９】
微小粒子の測定データから独立した３種の変数を選択する手順と、
前記３種の変数を座標軸とする座標空間内における位置と図形を計算し、前記微小粒子の
特性分布を表す３Ｄ立体画像を作成する手順と、
前記３Ｄ立体画像を表示させる手順と、
前記３Ｄ立体画像において前記座標空間を複数の領域に区分けする平面を設定する手順と、を含む３Ｄデータ解析方法。
【請求項１０】
微小粒子の測定データから選択される独立した３種の変数を座標軸とする座標空間内における位置と図形を計算し、前記微小粒子の特性分布を表す３Ｄ立体画像を作成するステップと、
前記３Ｄ立体画像を表示するステップと、
前記３Ｄ立体画像においてユーザにより設定される平面により複数の領域に区分けされた前記座標空間の各領域について、該領域における変数値及び／又は分布頻度を計算するステップと、をコンピュータに実行させる３Ｄデータ解析プログラム。
【手続補正２】
【補正対象書類名】明細書
【補正対象項目名】０００４
【補正方法】変更
【補正の内容】
【０００４】
また、生体関連粒子の解析では、フローサイトメータ（フローサイトメトリー）が用いられている。フローサイトメータで測定可能なパラメータには、微小粒子の前方散乱光（FS）、側方散乱光（SS）、蛍光（FL）及びインピーダンスなどがある。前方散乱光（FS）、側方散乱光（SS）及び蛍光（FL）は細胞や微生物（以下、単に「細胞」という）の光学的特性を示すパラメータとして、インピーダンスは細胞の電気的特性を示すパラメータとして用いられる。
【手続補正３】
【補正対象書類名】明細書
【補正対象項目名】０００５
【補正方法】変更
【補正の内容】
【０００５】
具体的には、まず、前方散乱光は、レーザー光の軸に対して前方向の小さい角度で散乱する光であり、細胞の表面で生じるレーザー光の散乱光や回折光、屈折光からなる。前方散乱光は、主として細胞の大きさを示すパラメータとして用いられている。次に、側方散乱光は、レーザー光の軸に対して約９０度の角度で散乱する光であり、細胞の内部の顆粒や核などで生じるレーザー光の散乱光である。側方散乱光は、主として細胞の内部構造を示すパラメータとして用いられている。また、蛍光は、細胞に標識された蛍光色素から発生する光であり、蛍光色素標識抗体が認識する細胞表面抗原の有無や蛍光色素が結合した核酸の量などを示すパラメータとして用いられている。また、インピーダンスは、電気抵抗法によって測定され、細胞の容積を示すパラメータとして用いられている。
【手続補正４】
【補正対象書類名】明細書
【補正対象項目名】００１４
【補正方法】変更
【補正の内容】
【００１４】
一つの測定パラメータを軸としたヒストグラム上あるいは一つの組み合わせの測定パラ
メータを軸としたサイトグラム上においては、解析対象とする細胞小集団と不要な細胞と
が重なり合う領域に存在している場合がある。例えば、ヒト末梢血をサンプルとしてリンパ球の解析を行う際、前方散乱光（FS）と側方散乱光（SS）を軸にとったサイトグラム上では、一部の単球がリンパ球と同一の領域に存在する場合がある。
【手続補正５】
【補正対象書類名】明細書
【補正対象項目名】００２８
【補正方法】変更
【補正の内容】
【００２８】
ここで、「独立したパラメータ」とは、微小粒子の前方散乱光（FS）、側方散乱光（SS）、蛍光（FL）及びインピーダンスなどから選択される互いに異なるパラメータを意味する。蛍光（FL）は、微小粒子に標識された蛍光色素の波長域毎に異なるパラメータとして扱うことができ、ＦＬ１，ＦＬ２〜ＦＬｎ（ｎは３以上の整数）などと表記される。独立した３種のパラメータとしては、例えば、前方散乱光（FS）、側方散乱光（SS）及び蛍光（FL1）の組み合わせや、前方散乱光（FS）、側方散乱光（SS）及びインピーダンスの組み合わせが例示される。この他、独立した３種のパラメータは、測定データから任意に選択して組み合わせることができる。
【手続補正６】
【補正対象書類名】明細書
【補正対象項目名】００３８
【補正方法】変更
【補正の内容】
【００３８】
図では、３種のパラメータを、前方散乱光（FS-Lin：Ｘ軸）、側方散乱光（SS-Lin：Ｙ軸）及び第一の蛍光（FL1-Lin：Ｚ軸）の組み合わせとした場合を例示した。各座標軸にとるパラメータは、任意に選択される組み合わせとできる。例えば、Ｘ軸に第一の蛍光（FL1）、Ｙ軸に第二の蛍光（FL2）、Ｚ軸にインピーダンスをとることもできる。
【手続補正７】
【補正対象書類名】明細書
【補正対象項目名】００６９
【補正方法】変更
【補正の内容】
【００６９】
ディスプレイ４３に表示される左眼用画像が右眼用画像よりも右側にある場合（図１３（Ａ）参照）、図形は、ディスプレイ４３の画面の位置よりも手前に立体視される。画面位置から飛び出して観察される図形の立体像を図中符号７１で示し、ディスプレイ４３に表示される図形７１の左眼用画像を符号７１Ｌで、右眼用画像を符号７１Ｒで示す。一方、ディスプレイ４３に表示される左眼用画像が右眼用画像よりも左側にある場合（図１３（Ｃ）参照）、図形は、ディスプレイ４３の画面の位置よりも奥に立体視される。画面位置から飛び出して観察される図形の立体像を図中符号７２で示し、ディスプレイ４３に表示される図形７２の左眼用画像を符号７２Ｌで、右眼用画像を符号７２Ｒで示す。